(57)【要約】  ＴＤＭサービスとパケットサービスを共に提供するイーサネット（登録商標）アクセスネットワーク１０２の管理が開示される。本明細書で説明されるイーサネット（登録商標）アクセスネットワーク１０２は、ＴＤＭネットワーク用インタフェースポート２０２およびパケットネットワーク用インタフェースポート２０４を有するヘッドエンド１２２と、ＴＤＭサービス用インタフェースポート２１２およびパケットサービス用インタフェースポート２１４を有する顧客宅内機器すなわちＣＬＥ１２４と、ヘッドエンド１２２および顧客宅内機器１２４を接続する接続媒体１２６とを含む。ネットワークの管理を行うために、ヘッドエンド１２２のＴＤＭネットワーク用インタフェースポート２０２とＣＬＥ１２４のＴＤＭサービス用インタフェースポート２１２との関係が定義される。ＴＤＭネットワーク用インタフェースポート２０２とＴＤＭサービス用インタフェースポート２１２との定義された関係が、相互接続システム５０２としてモデル化される。次にＴＤＭ  ＯＳＳ１０８がこの相互接続システム５０２を管理することによってイーサネット（登録商標）アクセスネットワーク１０２のＴＤＭサービスを管理することができ、パケットＯＳＳ１１０がイーサネット（登録商標）アクセスネットワーク１０２のパケットサービスを管理することができる。
2010527564.tif 000002
【特許請求の範囲】
【請求項１】
ヘッドエンドおよび顧客宅内機器を含むイーサネット（登録商標）アクセスネットワークを管理する方法であって、イーサネット（登録商標）アクセスネットワークがＴＤＭサービスおよびパケットサービスを提供するように構成されている方法において、
ヘッドエンドのＴＤＭネットワーク用インタフェースポートと顧客宅内機器のＴＤＭサービス用インタフェースポートとの関係を定義し、
ＴＤＭネットワーク用インタフェースポートとＴＤＭサービス用インタフェースポートとの定義された関係を相互接続システムとしてモデル化し、
ＴＤＭオペレーションサポートシステムすなわちＯＳＳを介して相互接続システムを管理することによって、イーサネット（登録商標）アクセスネットワークのＴＤＭサービスを管理し、
パケットＯＳＳを介してイーサネット（登録商標）アクセスネットワークのパケットサービスを管理すること
を特徴とする、方法。
【請求項２】
ヘッドエンドのＴＤＭネットワーク用インタフェースポートと顧客宅内機器のＴＤＭサービス用インタフェースポートとの関係を定義することが、
ヘッドエンドにおけるＴＤＭネットワーク用インタフェースポートの固定の数を定義し、
ヘッドエンドのＴＤＭネットワーク用インタフェースポートおよび顧客宅内機器のＴＤＭサービス用インタフェースポートに対して固定の機器構成を定義し、
内在する顧客宅内機器の固定の組を定義すること
を含む、請求項１に記載の方法。
【請求項３】
ヘッドエンドのＴＤＭネットワーク用インタフェースポートおよび顧客宅内機器のＴＤＭサービス用インタフェースポートに対して固定の機器構成を定義することが、
ヘッドエンドおよび顧客宅内機器の中にＴＤＭ機器スロットを予め備えること
を含む、請求項２に記載の方法。
【請求項４】
ヘッドエンドおよび顧客宅内機器が固定の機器構成に反して接続される場合に警報を発生すること
をさらに含む、請求項２に記載の方法。
【請求項５】
イーサネット（登録商標）アクセスネットワークのＴＤＭサービスを管理することが、ＴＤＭサービスに割り当てられるイーサネット（登録商標）アクセスネットワークの第１の帯域幅を管理することを含み、
イーサネット（登録商標）アクセスネットワークのパケットサービスを管理することが、パケットサービスに割り当てられるイーサネット（登録商標）アクセスネットワークの第２の帯域幅を管理することを含み、第２の帯域幅はイーサネット（登録商標）アクセスネットワークの全帯域幅からＴＤＭサービスに割り当てられる第１の帯域幅を引いたものである、
請求項１に記載の方法。
【請求項６】
ＴＤＭサービスおよびパケットサービスを提供するように構成されたイーサネット（登録商標）アクセスネットワーク（１０２）を管理するシステムであって、イーサネット（登録商標）アクセスネットワーク（１０２）が、複数のＴＤＭネットワーク用インタフェースポート（２０２）および複数のパケットネットワーク用インタフェースポート（２０４）を有するヘッドエンド（１２２）と、複数のＴＤＭサービス用インタフェースポート（２１２）および複数のパケットサービス用インタフェースポート（２１４）を有する顧客宅内機器（１２４）と、ヘッドエンド（１２２）および顧客宅内機器（１２４）を接続する接続媒体（１２６）とを含むシステムにおいて、
エレメント管理システム（１０６）がヘッドエンド（１２２）に接続され、ヘッドエンド（１２２）のＴＤＭネットワーク用インタフェースポート（２０２）と顧客宅内機器（１２４）のＴＤＭサービス用インタフェースポート（２１２）との関係を定義するように構成され、
エレメント管理システム（１０６）がさらにＴＤＭネットワーク用インタフェースポート（２０２）とＴＤＭサービス用インタフェースポート（２１２）との定義された関係を相互接続システム（５０２）としてモデル化するように構成され、
ＴＤＭオペレーションサポートシステムすなわちＯＳＳ（１０８）が、エレメント管理システム（１０６）によってモデル化されたように相互接続システム（５０２）を管理することによってイーサネット（登録商標）アクセスネットワーク（１０２）のＴＤＭサービスを管理するように構成され、
パケットＯＳＳ（１１０）がイーサネット（登録商標）アクセスネットワーク（１０２）のパケットサービスを管理するように構成される
ことを特徴とする、システム。
【請求項７】
エレメント管理システム（１０６）がさらに、ヘッドエンド（１２２）におけるＴＤＭネットワーク用インタフェースポート（２０２）の固定の数を定義するように構成され、
エレメント管理システム（１０６）がさらに、ヘッドエンド（１２２）のＴＤＭネットワーク用インタフェースポート（２０２）および顧客宅内機器（１２４）のＴＤＭサービス用インタフェースポート（２１２）に対して固定の機器構成を定義するように構成され、
エレメント管理システム（１０６）がさらに、内在する顧客宅内機器（１２４）の固定の組を定義するように構成された、
請求項６に記載のシステム。
【請求項８】
エレメント管理システム（１０６）がさらに、ヘッドエンド（１２２）および顧客宅内機器（１２４）にＴＤＭ機器スロットを予め備えるように構成された、請求項７に記載のシステム。
【請求項９】
エレメント管理システム（１０６）がさらに、ヘッドエンド（１２２）および顧客宅内機器（１２４）が固定の機器構成に反して接続される場合に警報を発生するように構成される、請求項７に記載のシステム。
【請求項１０】
ＴＤＭ  ＯＳＳ（１０８）がさらに、ＴＤＭサービスに割り当てられるイーサネット（登録商標）アクセスネットワーク（１０２）の第１の帯域幅を管理するように構成され、
パケットＯＳＳ（１１０）がさらに、パケットサービスに割り当てられるイーサネット（登録商標）アクセスネットワーク（１０２）の第２の帯域幅を管理するように構成され、第２の帯域幅はイーサネット（登録商標）アクセスネットワーク（１０２）の全帯域幅からＴＤＭサービスに割り当てられる第１の帯域幅を引いたものである、
請求項６に記載のシステム。
【発明の詳細な説明】
【技術分野】
【０００１】
本発明は、通信ネットワークの分野に関し、詳細にはイーサネット（登録商標）アクセスネットワークの管理に関する。詳細には、ＴＤＭサービスとパケットサービスを共に提供するイーサネット（登録商標）アクセスネットワークについて、このイーサネット（登録商標）アクセスネットワークにおけるＴＤＭサービスを管理するために一組のオペレーションサポートシステム（ＯＳＳ）が使用され、このイーサネット（登録商標）アクセスネットワークにおけるパケットサービスを管理するためにもう一組のＯＳＳが使用される。
【背景技術】
【０００２】
アクセスネットワークは、顧客を顧客のネットワークプロバイダの中央局に接続する通信ネットワークの一部である。企業顧客は、一般にアクセスネットワークの一方の端部に顧客宅内機器（ＣＬＥ）を有する。中央局は、アクセスネットワークのもう一方の端部に、コアネットワークに接続するネットワークエレメントを含む。このネットワークエレメント（ヘッドエンドまたはヘッドエンド機器とも呼ばれる）は、スイッチ、デジタル相互接続、ＳＯＮＥＴネットワーク用のアド−ドロップマルチプレクサ、イーサネット（登録商標）スイッチ／ルータなどを含むことができる。接続媒体が、中央局の中のネットワークエレメントをＣＬＥに接続する。接続媒体は、銅線、光ファイバ、または別のタイプの媒体である場合がある。
【０００３】
ネットワークオペレータは、通信ネットワークを運営するとき、多くの型のネットワーク管理を行う。ネットワーク管理は、通信ネットワークの資源を制御する、計画する、割り当てる、配布する、調整する、および監視するための一連の機能を実行することである。こうしたオペレーション機能は、通常オペレーションサポートシステム（ＯＳＳ）と呼ばれるシステムによってサポートされる。ＯＳＳは、ネットワークインベントリを保守すること、サービスを提供すること、ネットワークコンポーネントを構成すること、および障害を管理することなどの処理をサポートする。
【０００４】
時分割多重（ＴＤＭ）サービスを提供するアクセスネットワークでは、エレメント管理システム（ＥＭＳ）およびＯＳＳを介してネットワーク管理が行われる。ＥＭＳは、アクセスネットワークのヘッドエンドに接続し、ヘッドエンドから管理データを受信する。またＥＭＳはＯＳＳに接続して、各ＯＳＳへ管理データを送信し、ＯＳＳがネットワーク管理を行うことができるようにする。ヘッドエンドとＥＭＳの間、およびＥＭＳとＯＳＳの間のインタフェースは、一般にＴＤＭサービス管理用のトランザクション言語１（Ｔｒａｎｓａｃｔｉｏｎ  Ｌａｎｇｕａｇｅ  １、ＴＬ１）インタフェースである。
【０００５】
普及しつつある別のアクセスネットワークの型が、パケットサービス（またはパケットベースのサービス）を提供するイーサネット（登録商標）アクセスネットワークである。イーサネット（登録商標）アクセスネットワークのヘッドエンドは、顧客にパケットサービスを提供するイーサネット（登録商標）スイッチ／ルータを含んでいる。イーサネット（登録商標）アクセスネットワークのネットワーク管理は、ＥＭＳおよび異なるＯＳＳを介して行われる。ＥＭＳは、イーサネット（登録商標）アクセスネットワークのヘッドエンドに接続し、ヘッドエンドから管理データを受信する。またＥＭＳはＯＳＳに接続して、ＯＳＳに管理データを送信し、ＯＳＳがネットワーク管理を行うことができるようにする。
【発明の概要】
【発明が解決しようとする課題】
【０００６】
イーサネット（登録商標）アクセスネットワークは、パケットサービスに加えてＴＤＭサービスを提供することができる。イーサネット（登録商標）スイッチ／ルータは、ＴＤＭサービスとパケットサービスを共に提供するために、ネットワークインタフェースのＴＤＭポートとパケットポートを含むことができる。しかしながら１つの問題は、イーサネット（登録商標）アクセスネットワークを管理する現在のＯＳＳは、イーサネット（登録商標）アクセスネットワークを介して提供されることがあるＴＤＭサービスを管理することができないということである。ネットワークオペレータは、イーサネット（登録商標）アクセスネットワーク内のＴＤＭサービスを管理するようにＯＳＳをプログラムすることができるが、著しいコストと時間がかかる。イーサネット（登録商標）アクセスネットワークのＴＤＭサービスとパケットサービスを共に管理する別の解決法が求められている。
【課題を解決するための手段】
【０００７】
本発明の諸実施形態は、複数のＯＳＳスイートを用いてイーサネット（登録商標）アクセスネットワークにおけるＴＤＭサービスとパケットサービスを共に管理することによって、上記の問題および他の関連する問題を解決する。ＴＤＭ  ＯＳＳは、ＴＤＭアクセスネットワークを管理するために使用される従来のＯＳＳのように、イーサネット（登録商標）アクセスネットワークにおいてＴＤＭサービスを管理するために使用されることが可能である。パケットＯＳＳは、イーサネット（登録商標）アクセスネットワークを管理するために使用される次世代ＯＳＳのように、イーサネット（登録商標）アクセスネットワークにおいてパケットサービスを管理するために使用されることが可能である。ネットワークオペレータは有利には、既存のＯＳＳ機能を利用して、ＴＤＭサービスおよびパケットサービスを有するイーサネット（登録商標）アクセスネットワークを運営することができる可能性がある。
【０００８】
本発明の一実施形態は、ＴＤＭサービスとパケットサービスを共に提供するイーサネット（登録商標）アクセスネットワークを管理する方法を含む。イーサネット（登録商標）アクセスネットワークは、複数のＴＤＭネットワーク用インタフェースポートおよび複数のパケットネットワーク用インタフェースポートを有するヘッドエンドと、複数のＴＤＭサービス用インタフェースポートおよび複数のパケットサービス用インタフェースポートを有する顧客宅内機器（ＣＬＥ）と、ヘッドエンドと顧客宅内機器の間の接続媒体とを含む。この方法によれば、ヘッドエンドのＴＤＭネットワーク用インタフェースポートとＣＬＥのＴＤＭサービス用インタフェースポートとの間で関係が定義される。ＴＤＭネットワーク用インタフェースポートとＴＤＭサービス用インタフェースポートとの間で定義された関係は、次に相互接続システムとしてモデル化される。次にＴＤＭ  ＯＳＳが、この相互接続システムを管理することによってイーサネット（登録商標）アクセスネットワークのＴＤＭサービスを管理することができ、パケットＯＳＳがイーサネット（登録商標）アクセスネットワークのパケットサービスを管理することができる。
【０００９】
有利にはこの方法によりネットワークオペレータは、複数のＯＳＳを使用してイーサネット（登録商標）アクセスネットワークのＴＤＭサービスとパケットサービスを共に管理できるようになる。ＴＤＭ  ＯＳＳは、相互接続システムとしてサービスをモデル化することによって、ＴＤＭサービスを管理する。有利にはネットワークオペレータは、従来ＴＤＭアクセスネットワークを管理するために使用される従来のＯＳＳを、ＴＤＭ  ＯＳＳとして使用することができる。また有利にはネットワークオペレータは、イーサネット（登録商標）アクセスネットワークを管理するために使用される次世代ＯＳＳを、パケットＯＳＳとして使用することができる。したがってネットワークオペレータは、ＴＤＭサービスもパケットサービスも同時に管理することができる、二つの目的を兼ねた新しいＯＳＳをプログラムするための時間と費用を費やす必要がなく、既存のＯＳＳ機能が使用されることが可能である。
【００１０】
本発明は、以下に説明する他の例示的な諸実施形態を含むことができる。
【００１１】
すべての図面において、同じ参照符号は同じ要素または同じ型の要素を表す。
【図面の簡単な説明】
【００１２】
【図１】本発明の例示的実施形態における通信ネットワークを示す図である。
【図２】本発明の例示的実施形態におけるイーサネット（登録商標）アクセスネットワークを示す図である。
【図３】本発明の例示的実施形態においてイーサネット（登録商標）アクセスネットワークを管理する方法を示す流れ図である。
【図４】本発明の例示的実施形態においてヘッドエンドのＴＤＭネットワーク用インタフェースポートと顧客宅内機器のＴＤＭサービス用インタフェースポートとの関係を定義する方法を示す流れ図である。
【図５】本発明の例示的実施形態において相互接続システムとしてモデル化されたイーサネット（登録商標）アクセスネットワークのＴＤＭ部分を示す図である。
【図６】本発明の例示的実施形態においてイーサネット（登録商標）アクセスネットワークのパケット部分の機器モデルを示す図である。
【発明を実施するための形態】
【００１３】
図１から図６および次の説明は、本発明の具体的な例示的実施形態を表して、本発明の作製方法および使用方法を当業者に教示するものである。発明の原理を教示するために、本発明の従来の態様には簡略化または省略したものがある。本発明の範囲内に入るこれらの実施形態から、当業者は変形物を理解するであろう。以下に説明する特徴が様々な方法で結合されて、本発明の多くの変形物を形成可能であることを、当業者は理解するであろう。結果として、本発明は以下に説明する特定の実施形態に限定されず、特許請求の範囲およびその均等物によってのみ限定される。
【００１４】
図１は、本発明の例示的実施形態における通信ネットワーク１００を示す。通信ネットワーク１００は、イーサネット（登録商標）アクセスネットワーク１０２と、コアネットワーク１０４と、エレメント管理システム（ＥＭＳ）１０６と、ＴＤＭオペレーションオペレーションサポートシステム（ＯＳＳ）１０８と、パケットＯＳＳ１１０とを含んでいる。イーサネット（登録商標）アクセスネットワーク１０２（イーサネット（登録商標）エッジネットワークとも呼ばれる）は、イーサネット（登録商標）技術によって顧客にＴＤＭサービスとパケットサービスを提供するように構成されたいかなるネットワークをも含む。イーサネット（登録商標）アクセスネットワーク１０２は、イーサネット（登録商標）レイヤ２ネットワーキングとのアクセスリンクを含んで、ＴＤＭサービスおよびパケットサービスの回線エミュレーションを提供することができる。またイーサネット（登録商標）アクセスネットワーク１０２のトランスポート層は、ＩＰ、ＭＰＬＳ、または他のタイプの上位層プロトコルのトランスポート層を含むことができる。イーサネット（登録商標）のトランスポート層は、ポイントツーポイントのファイバリンク、ポイントツーマルチポイントの光ファイバネットワーク、ＧＰＯＮ、ＥＰＯＮ、Ｇ−ＥＰＯＮなどを含む、様々な物理媒体および物理層プロトコルによって対応されることが可能である。コアネットワーク１０４は、キャリアネットワークのバックボーンまたはバックボーンの一部を形成するネットワークである。ＥＭＳ１０６は、アクセスネットワークのヘッドエンドなどのネットワークエレメントを管理するように構成されたいかなるシステム、サーバ、または他の設備をも含む。ＥＭＳ１０６の一例は、Ａｌｃａｔｅｌ製の５６２０ＥＭＳである。ＴＤＭ  ＯＳＳ１０８は、アクセスネットワークにおいてＴＤＭサービスを管理するように構成されたいかなるシステム、サーバ、または他の設備をも含む。パケットＯＳＳ１１０は、アクセスネットワークにおいてパケットサービスを管理するように構成されたいかなるシステム、サーバ、または他の設備をも含む。
【００１５】
イーサネット（登録商標）アクセスネットワーク１０２は、接続媒体１２６で接続されたヘッドエンド１２２と顧客宅内機器（ＣＬＥ）１２４とを含んでいる。ヘッドエンド１２２は、イーサネット（登録商標）アクセスネットワーク１０２の端部に、ＣＬＥ１２４をコアネットワーク１０４に接続するように構成されたいかなるスイッチ、ルータ、または他のシステムをも含む。ヘッドエンド１２２の一例は、Ａｌｃａｔｅｌ製の７７１０イーサネット（登録商標）スイッチである。ＣＬＥ１２４は、顧客宅内に責任分界点を設けるように構成されたいかなるシステム、端末、または他の機器をも含む。ＣＬＥ１２４の一例は、Ａｌｃａｔｅｌによって提供される７２５０サービスアクセス機器である。接続媒体１２６は、銅線、光ファイバなど、ヘッドエンド１２２をＣＬＥ１２４に接続するように構成されたいかなる１つまたは複数の媒体をも含む。
【００１６】
図２は、本発明の例示的実施形態におけるイーサネット（登録商標）アクセスネットワーク１０２を示している。この図は、イーサネット（登録商標）アクセスネットワーク１０２における機器のポートを示している。他のポート構成が用いられることが可能であるので、これは単に考えられる１つの実施形態の例示的な説明である。この実施形態では、ヘッドエンド１２２は、ＴＤＭネットワークのインタフェースポート２０２と、パケットネットワークのインタフェースポート２０４と、ユーザネットワークのインタフェースポート２０６とを含んでいる。ＴＤＭネットワークのインタフェースポート２０２およびパケットネットワークのインタフェースポート２０４は、ＴＤＭネットワーク間インタフェース（ＮＮＩ）ポートなど、ヘッドエンド１２２をコアネットワーク１０４（図２には示されていない）に接続するように構成されたいかなるポートをも含む。ユーザネットワークのインタフェースポート２０６は、ＴＤＭユーザネットワークインタフェース（ＵＮＩ）ポートなど、ヘッドエンド１２２を接続媒体１２６に接続するように構成されたいかなるポートをも含む。ＣＬＥ１２４は、顧客にＴＤＭベースの接続を提供するように構成されたＴＤＭサービス用インタフェースポート２１２を含んでおり、また顧客にパケットベースの接続を提供するように構成されたパケットサービス用インタフェースポート２１４を含んでいる。
【００１７】
図３は、本発明の例示的実施形態においてイーサネット（登録商標）アクセスネットワークを管理する方法３００を示す流れ図である。図１の通信ネットワーク１００および図２のイーサネット（登録商標）アクセスネットワーク１０２を参照して、方法３００の諸ステップについて説明する。図３の流れ図の諸ステップは包括的ではなく、図示していない他のステップを含むことがある。
【００１８】
方法３００のステップ３０２は、ヘッドエンド１２２のＴＤＭネットワーク用インタフェースポート２０２とＣＬＥ１２４のＴＤＭサービス用インタフェースポート２１２との関係を定義することを含む。方法３００のこのステップは、ＥＭＳ１０６、ネットワークオペレータ、またはこの二つの組合せによって行われることが可能である。ヘッドエンド１２２のＴＤＭネットワーク用インタフェースポート２０２およびＴＤＭサービス用インタフェースポート２１２は、すべてＴ１またはＴ３に基づくなど、同じ型であることが可能であるが、ＳＯＮＥＴ  ＯＣ−３に基づくポート２０２とＴ１に基づくポート２１２など、異なる型であることも可能である。ＴＤＭネットワーク用インタフェースポート２０２とＴＤＭサービス用インタフェースポート２１２との関係は、ＴＤＭポート間で固定のマッピングを定めることである。図４は、本発明の例示的実施形態においてヘッドエンド１２２のＴＤＭネットワーク用インタフェースポート２０２とＣＬＥ２１２のＴＤＭサービス用インタフェースポート２１２との関係を定義する方法４００を示す流れ図である。ステップ４０２は、ヘッドエンド１２２におけるＴＤＭネットワーク用インタフェースポート２０２の固定の数を定義することを含む。ステップ４０４は、ヘッドエンド１２２のＴＤＭネットワーク用インタフェースポート２０２およびＴＤＭサービス用インタフェースポート２１２の固定の機器構成を定義することを含む。一例としてネットワークオペレータまたはＥＭＳ１０６（図１参照）は、ヘッドエンド１２２およびＣＬＥ１２４がインストールされるときに固定の構成となるように、ヘッドエンド１２２およびＣＬＥ１２４に機器スロットを予め備えることができる。機器スロットが誤った差し込みユニットに使用される場合、またはヘッドエンド１２２およびＣＬＥ１２４が固定の機器構成に反して違ったふうに接続される場合、ＥＭＳ１０６は警報を発生することができる。これによりヘッドエンド１２２およびＣＬＥ１２４は、予め備えられた構成に従って確実に構成されるようになる。方法４００のステップ４０６は、内在する（ｓｕｂｔｅｎｄｉｎｇ）ＣＬＥ１２４の固定の組ならびにＴＤＭサービスインタフェースの固定の構成を定義することを含む。
【００１９】
図３のステップ３０４は、ＴＤＭネットワーク用インタフェースポート２０２とＴＤＭサービス用インタフェースポート２１２との定義された関係を相互接続システムとしてモデル化することを含む。方法３００のこのステップは、ＥＭＳ１０６、ネットワークオペレータ、またはこの二つの組合せによって行われることが可能である。ＴＤＭ  ＯＳＳ１０８は、デジタル相互接続など、ＴＤＭ型の構成要素を管理するように構成されている。したがって、ＴＤＭ  ＯＳＳ１０８がイーサネット（登録商標）アクセスネットワーク１０２におけるＴＤＭサービスを管理することができるように、イーサネット（登録商標）アクセスネットワーク１０２のＴＤＭ部分が相互接続システムとしてモデル化される。図５は、本発明の例示的実施形態において相互接続システム５０２としてモデル化されたイーサネット（登録商標）アクセスネットワーク１０２のＴＤＭ部分を示している。ヘッドエンド１２２のＴＤＭネットワーク用インタフェースポート２０２は、相互接続システム５０２の一方の端部を表し、ＣＬＥ１２４のＴＤＭサービス用インタフェースポート２１２は、相互接続システム５０２のもう一方の端部を表す。
【００２０】
図３のステップ３０６は、ＴＤＭ  ＯＳＳ１０８を介して相互接続システム５０２を管理することによって、イーサネット（登録商標）アクセスネットワーク１０２のＴＤＭサービスを管理することを含む。相互接続システム５０２を管理するために、ＥＭＳ１０６は、ＴＤＭ  ＯＳＳ１０８から管理命令を受信し、この管理命令はその後イーサネット（登録商標）アクセスネットワーク１０２上で実行される。またＥＭＳ１０６は、ＴＤＭ  ＯＳＳ１０８に警報通知を送る。ＴＤＭ  ＯＳＳ１０８は次に、例えば従来のＴＤＭアクセスネットワークにおいてデジタル相互接続を管理するのと同様の方法で、イーサネット（登録商標）アクセスネットワーク１０２のＴＤＭサービスを管理する。
【００２１】
図３のステップ３０８は、パケットＯＳＳ１１０を介してイーサネット（登録商標）アクセスネットワーク１０２のパケットサービスを管理することを含む。パケットサービスを管理するために、ＥＭＳ１０６は、ヘッドエンド１２２から管理データを収集する。次にＥＭＳ１０６は、この管理データをパケットＯＳＳ１１０に送る。パケットＯＳＳ１１０はその後、例えばイーサネット（登録商標）スイッチの管理と同様の方法で、イーサネット（登録商標）アクセスネットワーク１０２のパケットサービスを管理することができる。
【００２２】
図６は、本発明の例示的実施形態におけるイーサネット（登録商標）アクセスネットワーク１０２のパケット部分の機器モデルを示している。ＴＤＭ  ＯＳＳ１０８が相互接続モデリングによってイーサネット（登録商標）アクセスネットワーク１０２のＴＤＭサービスを管理するとき、残りのパケットポート（すなわちイーサネット（登録商標）レイヤ２）および全イーサネット（登録商標）アクセスネットワークモデリングは、パケットＯＳＳ１１０によって管理される。ＴＤＭポートベースの交換可能ユニットが予め備えられて、ＴＤＭサービスにイーサネット（登録商標）アクセスネットワーク１０２の帯域幅の一部を割り当てるので、パケットＯＳＳ１１０は、ＥＭＳ１０６を介してＴＤＭスロットまたはポートを誤って使用することを防止される。またヘッドエンド１２２の残りの帯域幅（イーサネット（登録商標）アクセスネットワーク１０２の全帯域幅からＴＤＭサービスに割り当てられる帯域幅を差し引いたもの）が、パケットＯＳＳ１１０によって使用され、システム全体の転送容量を特徴付ける。ヘッドエンド１２２は、残りのイーサネット（登録商標）ポートを処理するために十分な転送容量を有して設計される。イーサネット（登録商標）アクセスネットワーク１０２の詳細な管理局面は、パケットＯＳＳ１１０によってサポートされる一方で、ＯＤＮとの物理的接続性の切断は、ＥＭＳ１０６の警報伝送フィルタを介したキャリアの選択に応じてＴＤＭ  ＯＳＳ１０８およびパケットＯＳＳ１１０の警報監視システムのどちらか一方または両方が利用できる。
【００２３】
有利には図３の方法３００により、ネットワークオペレータが複数のＯＳＳを使用してイーサネット（登録商標）アクセスネットワークのＴＤＭサービスとパケットサービスを共に管理することが可能になる。ＴＤＭ  ＯＳＳ１０８は、サービスを相互接続システムとしてモデル化することによって、ＴＤＭサービスを管理する。有利にはネットワークオペレータは、ＴＤＭアクセスネットワークを管理するために一般に使用される従来のＯＳＳを、ＴＤＭ  ＯＳＳ１０８として使用することができる。また有利にはネットワークオペレータは、イーサネット（登録商標）アクセスネットワークを管理するために使用される次世代ＯＳＳを、パケットＯＳＳ１１０として使用することができる。このようにネットワークオペレータは既存のＯＳＳ機能が使用可能であるので、ＴＤＭサービスもパケットサービスも同時に管理することができる、二つの目的を兼ねた新しいＯＳＳをプログラムする時間および費用を費やす必要がない。
【００２４】
次に、相互接続システムとしてイーサネット（登録商標）アクセスネットワーク１０２のＴＤＭ部分をモデル化する１つの特定の方法について説明する。回線エミュレーションサービス（ＣＥＳ）プロトコルによって搬送されるＴ１またはＴ３回線のエンドポイントは、連結をハイフン記号で示すことによって次の方法で一意に識別される。ＴＤＭネットワーク用インタフェースポート２０２は、次のように識別されることが可能である：ヘッドエンド１２２の正式識別名−第１のＴＤＭネットワーク用インタフェースポートのスロットの機器所有者番号（ミニスロットがある場合は、この表示が２回繰り返される）−「Ｐ」に続く第１のＴＤＭネットワーク用インタフェースポートのポート番号−回線のタイムスロット番号。ＴＤＭサービス用インタフェースポート２１２は、次のように識別されることが可能である：ヘッドエンド１２２の正式識別名−第１のＴＤＭユーザインタフェースポートのスロットの機器所有者番号（ミニスロットがある場合は、この表示が２回繰り返される）−「Ｐ」に続く第１のＴＤＭユーザインタフェースポートのポート番号−（スプリッタがある場合は、スプリッタ分配ポート番号がある）−「Ｃ」−（ある場合はＴＤＭネットワーク用インタフェースポートのスロット番号）−「Ｐ」に続くサービスインタフェースのポート番号−回線のタイムスロット番号（サービスインタフェースが多重化されたペイロードである場合）。ＣＬＥ１２４もまた、連結によって次のように表示されて識別されることが可能である：ヘッドエンド１２２の正式識別名−第１のＴＤＭユーザインタフェースポートのスロットの機器所有者番号（ミニスロットがある場合は、この表示が２回繰り返される）−「Ｐ」に続く第１のＴＤＭユーザインタフェースポートのポート番号−（スプリッタがある場合は、スプリッタ分配ポート番号がある）−「Ｃ」。
【００２５】
通常このような識別は、従来のＯＳＳのメモリ管理識別子の文字カウント制限内である。結果として生じるＴＤＭ回線エンドポイント識別子を有する相互接続システムモデルは、従来のインベントリおよび管理システム、警報監視システム、ならびにＴＤＭサービス提供システムによって容易に管理される機器の型を表す。
【００２６】
図１では、ＥＭＳ１０６がＴＤＭ  ＯＳＳ１０８に管理データを送信することができるように、ＥＭＳ１０６は、トランザクション言語１（ＴＬ１）インタフェースを装備されることが可能である。ＴＬ１インタフェースは、ＴＤＭ  ＯＳＳ１０８がイーサネット（登録商標）アクセスネットワーク１０２のＴＤＭサービスを管理することができるように、ＴＤＭ  ＯＳＳ１０８にＴＬ１のメッセージを送信するように構成されている。ＴＬ１インタフェースは、ＥＭＳ１０６のノースバウンドインタフェース（ＮＢＩ）の標準的なＡＰＩメカニズムを編成して、ＴＤＭ  ＯＳＳサービスの提供で使用されるエンドツーエンドのＴＤＭ回線の提供をサポートする。さらにＴＬ１インタフェースは、ＴＤＭ  ＯＳＳ１０８への問題となる警報通知の発行および検索に対応し、したがってＥＭＳ１０６に利用することができる一般的な警報通知フィルタリング機能を使用する。パケットＯＳＳ１１０は、標準的なＥＭＳ  ＮＢＩメカニズムによって残りのイーサネット（登録商標）アクセスネットワーク１０２の局面を管理する。
【００２７】
本明細書で特定の実施形態を説明したが、本発明の範囲はこれら特定の実施形態に限定されない。本発明の範囲は、添付の特許請求の範囲およびその均等物によって定められる。
【図１】
2010527564.tif 000003
【図２】
2010527564.tif 000004
【図３】
2010527564.tif 000005
【図４】
2010527564.tif 000006
【図５】
2010527564.tif 000007
【図６】
2010527564.tif 000008
【国際調査報告】
2010527564.tif 000009
2010527564.tif 000010
2010527564.tif 000011
2010527564.tif 000012